(57)【要約】本発明は、相互接続されるコンポーネントに関するものであって、あるコンポーネントはセントラルコンポーネント１００として使用され、少なくとも１つの更なるコンポーネントは周辺ユニット２０１，２０２，２０３として使用される。当該システムは、コンポーネントが標準的なコネクション（ＵＳＢコネクション）を介して接続されること、ウェイクアップ信号と同様にスタンバイモードからの再作動について要求されるエネルギーがこのコネクションを介して得られること、又は周辺ユニット２０２，２０３の関連するソケット２４０，２５０がセントラルコンポーネント１００を再作動するように遠隔制御されること、が交互に達成される改善されたエネルギー消費量を有する。
2007503657.tif 000002
【特許請求の範囲】
【請求項１】
相互接続されるコンポーネントからなるシステムであって、
コンポーネント間のデータ伝送及びコンポーネントのエネルギー供給のための標準的なコネクション（ＵＳＢコネクション）を有し、
前記コンポーネントは、前記標準的なコネクションにより供給される電力よりも小さいか又は該電力に等しい動作電力を有するタイプａ）の装置であるか、又は前記標準的なコネクションにより供給される電力を超える動作電力を有するタイプｂ）の装置であり、
前記タイプｂ）のコンポーネントは、システムのセントラルコンポーネントとして使用され、
前記タイプａ）又はｂ）のうちの少なくとも１つの更なるコンポーネントは、周辺ユニットとして使用され、
前記セントラルコンポーネントは、前記相互接続されたコンポーネント間でのデータ伝送を制御し、コンポーネント間のエネルギー供給を制御する手段と、スタンバイ装置とを有する、
ことを特徴とするシステム。
【請求項２】
前記セントラルコンポーネントは、リモートコントロールからの信号の受信機を有する、
ことを特徴とする請求項１記載のシステム。
【請求項３】
前記セントラルコンポーネントは、オーディオ増幅器である、
ことを特徴とする請求項１又は２記載のシステム。
【請求項４】
複数のラウドスピーカは、オーディオ増幅器に接続される、
ことを特徴とする請求項３記載のシステム。
【請求項５】
少なくともデータ伝送のため、アナログ又はデジタルラインを介して相互接続される少なくとも２つのコンポーネントを有するシステムであって、前記コンポーネントはタイプｂ）のコンポーネントであり、コンポーネントがそれらの動作電力を得る電源ラインにソケットを介して接続され、
当該システムは、セントラルコンポーネントとして使用されるコンポーネントと、周辺ユニットとして使用される１以上のコンポーネントを有し、前記ソケット又は前記周辺装置の電源ラインのスイッチは遠隔制御される、
ことを特徴とするシステム。
【請求項６】
タイプａ）の装置は、たとえば携帯用ＣＤプレーヤ、ウォークマン又はゲームコンソールのような携帯用装置である、
ことを特徴とする請求項１乃至５のいずれか記載のシステム。
【請求項７】
タイプｂ）の装置は、ＣＤプレーヤ、ＣＤレコーダ、ＤＶＤプレーヤ、ビデオレコーダ、カセットデッキ、レーザビデオディスクプレーヤ、磁気テープ装置又はラジオのような固定された装置である、
ことを特徴とする請求項１乃至６のいずれか記載のシステム。
【請求項８】
無線リンク当たり１つのヘッドフォンは、前記セントラルコンポーネントに接続される、
ことを特徴とする請求項１乃至７のいずれか記載のシステム。
【請求項９】
前記ホスト装置は、サウンドカード及びコントローラを有する、
ことを特徴とする請求項１乃至８のいずれか記載のシステム。
【請求項１０】
信号処理及びエネルギー供給のためにコンポーネント間で標準的なコネクション（ＵＳＢコネクション）を有する、相互接続されたコンポーネントからなるシステムのためのエネルギー供給方法であって、
前記コンポーネントは、前記標準的なコネクションにより供給される電力よりも小さいか又は該電力に等しい動作電力を有するタイプａ）の装置であるか、又は前記標準的なコネクションにより供給される電力を超える動作電力を有するタイプｂ）の装置であり、
前記タイプｂ）のコンポーネントは、システムにおけるセントラルコンポーネントとして使用され、
前記タイプａ）又はｂ）のうちの少なくとも１つの更なるコンポーネントは、周辺ユニットとして使用され、
前記セントラルコンポーネントは、周辺ユニットのウェイクアップ信号が前記セントラルコンポーネントにより受信されたとき、所与の周辺ユニットにウェイクアップ信号を送出するスタンバイ装置を有する、
ことを特徴とするエネルギー供給方法。
【請求項１１】
相互接続されたコンポーネントからなるシステム、特に、家電製品を有するオーディオ／ビジュアル機器としての請求項１乃至５のいずれか記載のシステムの使用。
【請求項１２】
記憶媒体に記憶されたオーディオファイルを再生及び／又は読出すために適した装置であって、請求項１乃至９のいずれか記載のコンポーネントであり、
当該装置の筺体には、ＵＳＢバスが設けられているか、当該装置は、ＵＳＢ標準に従ってコマンド及びオーディオストリームを受信又は送信するための手段を有する、
ことを特徴とする装置。
【請求項１３】
当該装置は、携帯用ＣＤプレーヤ、ウォークマン、ゲームコンソール、ＣＤレコーダ、ＤＶＤプレーヤ、ビデオレコーダ、カセットデッキ、レーザビデオディスクプレーヤ、磁気テープ装置、又はラジオのグループから選択される、
ことを特徴とする請求項１２記載の装置。
【発明の詳細な説明】
【技術分野】
【０００１】
本発明は、データ転送及びエネルギー供給のために標準的なＵＳＢ（Universal  Serial  Bus）プロトコルにより相互接続される複数のコンポーネントを有するシステムに関する。
【背景技術】
【０００２】
ＵＳＢは、Ｉ／Ｏインタフェースであって、データ処理の分野で広く使用されている。データ転送の機能に加えて、接続される低電力ユニット用の電流源用にも使用される。ホスト（コンピュータにおけるコネクション）は、動作電圧５Ｖで最大電流５００ｍＡを供給する。かかる周辺装置用の電流源は、中央装置により保証される。このことは、更なる動作電圧が切り替わり、更なる電源装置が分配されるという利点を有する。スタンバイモードにおけるコンピュータ装置の電流消費は、本質的な製品特性を表している。電流源の中央制御により、この高い電流消費量は、最小に制限することができる。
【０００３】
ＵＳＢは、結合されたスターバス構造として実現される。コンピュータにおけるＵＳＢホストアダプタは、この構造のヘッドにある。１２７までの装置をＵＳＢホストアダプタに接続することができる。個々の装置又はＵＳＢハブは、ホストアダプタの出力に接続することができる。かかるハブは、２以上のＵＳＢ装置用のスプリッタとして要求される。電流源に加えて、ハブは、常に１つのＵＳＢ装置がそのデータをホストコントローラに送出するのを保証する。すべてのデータは、電源ライン（＋５Ｖ）と同様にマスラインに加えて、双方向性のラインのペアを介してガイドされる。データは、差動的に送信され、このことは、ＵＳＢがロバストであることを裏付ける。同一のバスを介して低速の装置と高速の装置を接続するため、ＵＳＢを介した転送は、チャネルに小区分される。１．５ｍｂｉｔ／ｓまでの低速のチャネルと１２ｍｂｉｔ／ｓまでの中速のチャネルが存在し、両方のチャネルは、同じインタフェースを介して制御される。（たとえば、ビデオ、ストレージメディア向けの）５００ｍｂｉｔ／ｓまでの高速のチャネルも提供されている。装置の速度のカテゴリとは独立に、常に同一の４ポールプラグが使用される。コネクションケーブルが関連する限り違いが存在し、高速の装置がシールド及びツイストケーブルであることを必要とする。非シールド及びツイストケーブルは、低速の装置用に使用される場合がある。
【０００４】
USB-On-The-Go機能を介して、２つのエンド装置は、それらのデータを直接的に交換することができる。通常、ＵＳＢ装置は、ホストコンピュータによるスレーブとして使用することができる。USB-On-The-Goによれば、たとえば、デジタルカメラは、コンピュータの相互接続なしに、データをプリンタに送出することができる。USB-On-The-Go装置のホスト機能は、勿論、ポイント・ツー・ポイント動作のために最小の必要性にまで制限される。結果的に、全てのＵＳＢ装置が他の任意の装置と通信できるわけではない。
【０００５】
米国特許６，２１１，６４９Ｂ１は、外部装置のバッテリを充電するためのＵＳＢケーブルを開示しており、このＵＳＢケーブルは、ＰＣのＵＳＢポートを外部装置の装置プラグと接続し、ＵＳＢポートからの電力を使用しつつ、外部装置のバッテリを充電するための２つのコネクションプラグの間に配置される充電用手段を有している。また、ＵＳＢケーブルは、ＵＳＢポートと外部装置のプラグとの間の両方向でのデータ伝送用に使用される。しかし、外部装置の実際の動作の間、すなわち音楽の再生の間、装置に属する又は装置の接続されるラウドスピーカユニットが使用される。
【０００６】
ソニー社のＭＰ３プレーヤ／レコーダＭＺ−Ｎ１は、実施により知られており、このＭＺ−Ｎ１には、バッテリを充電し、容易に扱うことができるＰＣコネクションのためのＵＳＢコネクションが設けられている。対応するミュージックマネージメントソフトウェアは、ＰＣからソニー社のプレーヤ／レコーダに音楽ファイルを転送する可能性を提供する。
【０００７】
ＵＳＢコネクションを介して、この装置には、記憶及び再生のためのデジタル音楽ファイルを供給することができるが、コネクションプラグによるラウドスピーカの従来のアナログコネクションは、聞くために使用される。
【０００８】
日本国特許ＪＰ１０−３２６１２８は、ＵＳＢによるインジケータ装置用のエネルギー供給の方法を開示している。この方法では、エネルギーは、インジケータ装置用のエネルギー節約モードで必要とされるエネルギーを供給するＵＳＢにより節約される。
【０００９】
たとえば固定装置、携帯用装置及びテレビジョン装置から構成されるオーディオ／ビデオ装置では、複数のソケットは、電源電圧を分割するために一般に使用される。オン／オフスイッチ又はそれぞれの装置の他のスイッチは、個別に動作する必要があるか、又はそれぞれの装置は、個別に遠隔制御される必要がある。スタンバイモードを有するこれらの装置のそれぞれは、オーディオ／ビデオ装置の全体の電流消費量に寄与し、スタンバイモードから動作を自動的に開始する目的でそれらのアクティビティに関してこれらの信号を個々にチェックする必要がある。オーディオ／ビデオ装置のかかる装置は、オーディオ又はビデオ信号接続を介して部分的に接続される。
【００１０】
準学習遠隔制御が実施により知られており、個々の遠隔制御の機能を異なる装置のインスタレーションについて置き換えることができる。「学習（ラーニング）」のため、この遠隔制御は、ＩＲ信号又は無線信号用の受信機で形成される。装置の遠隔制御は、その機能がウにバーサルリモートコントロールにより取って代わられるべきであって、ユニバーサルリモートコントロールと適切に揃えられ、「ラーニング」モードにあるときにアクチベートされる。このことは、ユニバーサルリモートコントロールが「ラーニング」プロセス用に使用される受信機に形成されることを意味する、装置用の遠隔制御は、１度だけ、すなわちそれにより使用されるユニバーサルリモートコントロールコードに通知することが必要とされる。たとえばオーディオ／ビデオ装置といった複数の装置を有するインスタレーションでは、複数の遠隔制御は、ユニバーサルリモートコントロールが使用されるときには冗長である。インスタレーションのこれらの装置のそれぞれは、ユニバーサルリモートコントロールから信号により到達されるそれ自身所有のリモートコントロールレシーバが形成されている。
【発明の開示】
【発明が解決しようとする課題】
【００１１】
本発明の目的は、改善されたエネルギー消費量を有する少なくとも２つのシステムコンポーネントの信号接続及びエネルギー供給用の標準的なコネクション（ＵＳＢコネクション）を有するシステムを提供することにある。
【００１２】
また、本発明の目的は、システムのエネルギー消費量を低減する、コンポーネント間のＵＳＢコネクションをもつシステムのためのエネルギー供給方法を提供することにある。
【００１３】
さらに、本発明の目的は、改善されたエネルギーを有するシステムであって、少なくとも信号伝送のためにアナログ又はデジタルラインを介して相互接続される少なくとも２つのコンポーネントを有するシステムを提供することにある。
【課題を解決するための手段】
【００１４】
本発明によれば、上記目的は、相互接続されたコンポーネントのシステムにより解決され、当該システムは、コンポーネント間のデータ伝送用、又はコンポーネントのエネルギー供給用の標準的なコネクション（ＵＳＢコネクション）を有する。代替的に、コンポーネントは、標準的なコネクションにより供給される電力よりも小さいか、該電力に等しい動作電力を有するタイプａ）の装置であるか、又は標準的なコネクションにより供給される電力を超える動作電力を有するタイプｂ）の装置である。タイプｂ）のコンポーネントは、システムにおけるセントラルコンポーネントとして使用される。タイプａ）又はｂ）の少なくとも１つの更なるコンポーネントは、周辺ユニットとして使用される。セントラルユニットは、相互接続されたコンポーネント間のデータ伝送を制御し、それらのエネルギー供給を制御する手段と、セントラルコンポーネントのためのスタンバイ装置を有している。
【００１５】
スタンバイモードでは、装置の電流消費量は、たとえば電源、テレビジョンのＥＨＴ、又は動作電圧からＣＤプレーヤのスピンドル用のドライブを切り離すことで低減される。スタンバイ装置で形成されるそれぞれ個々の装置は、装置が再作動のための状態に応答する必要があるため、スタンバイモードにおける電流を消費する。再作動の条件は、たとえば、リモートコントロール信号の発生である。このことは、リモートコントロールレシーバが規則的な間隔で接続されるか、又はエネルギーを消費するように電源電圧に定常的に接続される。代替的に、たとえば、オーディオ装置のプレイキーを押すこと又はテレビジョン装置の番組選択キーを作動することが可能である。本発明は、システムのコンポーネントのスタンバイモードからの再作動のための電源電圧は、コンポーネントの動作電力が標準的なコネクションの電力を超えているか、又は該電力を下回っているかという事実とは独立に、このコンポーネントを介して標準的なコネクションにより提供することができるという認識に基づいている。
【００１６】
本発明の１実施の形態では、セントラルコンポーネントは、スタンバイ装置に加えて、リモートコントロールからの信号を受ける受信機を有している。たとえばラーニングユニバーサルリモートコントロール（Learning  Universal  Remote  Control）で生じるラーニングプロセスによれば、セントラルコンポーネントは、これに接続される周辺ユニットの異なるリモートコントロールコードを「知る」。このため、周辺のコンポーネントに関連される実際のリモートコントロールは、セントラルユニットの関連するレシーバ（たとえば赤外線ダイオード）と配列され、レシーバがラーニングモードにある間に作動される。オリジナルリモートコントロールの機能は、ユニバーサルリモートコントロールにコピーすることができる。タッチスクリーン及びグラフィックフェースをもつPhilips社製のプログラマブルリモートコントロールProntoNeoSBCRU930は、実施により知られている。所与の周辺ユニットのための作動信号を受信した後、このユニットは、標準的なコネクションを介してセントラルコンポーネントにより「目覚める」又は再作動する。これを可能にするため、セントラルコンポーネントは、システムの全ての周辺ユニットに直接的又は間接的に接続され、信号処理及びエネルギー供給は、標準的なコネクションを介して実現することができ、したがって、リモートコントロールの作動信号は、対応する装置に送出することもできる。このことは、セントラルコンポーネントの唯一のスタンバイ装置のみが電流を消費するが、複数のコンポーネントのスタンバイモードが本発明に係るシステムで実現されることを意味する。
【００１７】
本発明の更なる実施の形態では、セントラルコンポーネントは、オーディオ増幅器である。このケースでは、たとえばタイプａ）の装置は携帯用のＣＤプレーヤであって、たとえばタイプｂ）の装置はＴＶ又はビデオレコーダである。オーディオ増幅器は、ソース、すなわちそのオーディオ信号はラウドスピーカユニットに送信されるコンポーネントを選択するための装置を有している。アナログコンポーネントと比較してＵＳＢコネクションを使用する利点は、周辺のコンポーネントがオーディオ信号を送信するのみでなく、周辺ユニットに対応する信号処理装置が設けられるとき、ソース選択を自動的に調整するようにプレイキーを押した後に制御信号を送信することができることにある。ソース選択の更なる可能性は、リモートコントロールにより提供されるか、又はセントラルコンポーネントのエントリフィールドにより提供される。
【００１８】
本発明の実施の形態によれば、複数のラウドスピーカは、オーディオ増幅器に接続される。２つのラウドスピーカは、シンプルなオーディオ再生に適している。拡張された音響効果のため、オーディオ増幅器により制御される必要がある複数のラウドスピーカが必要とされる。相互接続されるコンポーネントとデータ伝送のための標準的なコネクションを有する、本発明に係るシステムでは、対応するソースは、ラウドスピーカを最適に制御する目的で、制御信号をオーディオ増幅器に送信する場合がある。装置のユーザによる手動による選択、したがってエラーソースを分散することができる。少なくともデータ伝送の目的でアナログ又はデジタルラインを介して相互接続され、改善されたエネルギー消費量を有するシステムに関して、本発明に係る目的は、セントラルコンポーネントとして使用されるコンポーネント、及び周辺ユニットとして使用される少なくとも１つの更なるコンポーネントの両者は、タイプｂ）のコンポーネントであって、ソケットを介してそれらの動作電力を得る電源にそれぞれ接続されること、ソケット又は１以上の周辺ユニットの電源スイッチが遠隔制御されることで解決される。電源ラインのスイッチは、対応するソケットに配置されることが好ましいが、電流ケーブルの一部であるか又は周辺装置に配置されることが好ましい。セントラルコンポーネントは、オペレータが対応する再作動信号を生成するとき、周辺ユニットが電源に接続されるようなやり方で電源スイッチ及びソケットを制御する。好適な変形例は、休止電流消費量を低減することができるか、又はＵＳＢコネクションが設けられていない装置で回避することができるという利点を有する。
【００１９】
タイプａ）の装置は、たとえば携帯用、ＣＤプレーヤ、ウォークマン、又はゲームコンソールのような携帯用装置である。
タイプｂ）の装置は、たとえばＣＤプレーヤ、ＣＤレコーダ、ＤＶＤプレーヤ、ビデオレコーダ、カセットデッキ、レーザビデオディスクプレーヤ、磁気テープ装置、又はラジオのような静止した装置である。
【００２０】
本発明の更なる実施の形態では、無線リンク当たりの１つのヘッドフォンがセントラルコンポーネントに接続され、ホスト装置により制御される。
【００２１】
実施の形態によれば、本発明に係るシステムのホスト装置は、サウンドカード及びコントローラを有している。したがって、セントラルコンポーネントは、従来のオーディオ増幅器から区別される。
【００２２】
本発明によれば、信号処理及びエネルギー供給の目的でコンポーネント間の標準的なコネクション（ＵＳＢコネクション）を有する、相互接続されたコンポーネントのシステムのためのエネルギー供給方法によっても上記目的は解決される。代替的に、コンポーネントは、標準的なコネクションにより供給される電力よりも小さいか又は該電力に等しい動作電力を有するタイプａ）の装置、又は標準的なコネクションにより供給される電力を超える動作電力を有するタイプｂ）の装置である。タイプｂ）のコンポーネントは、システムにおけるセントラルコンポーネントとして使用される。タイプａ）又はｂ）の少なくとも１つの更なるコンポーネントは、周辺ユニットとして使用される。セントラルコンポーネントは、この周辺ユニットのためのウェイクアップ信号がセントラルコンポーネントにより受信されたとき、ウェイクアップ信号を所与の周辺ユニットに送出するスタンバイ装置を有する。ウェイクアップ信号は、システムに関連するリモートコントロールを介してユーザによるか、又はアクチベートされるべきソースを選択するための対応するスイッチを作動することで生成される。したがって、セントラルコンポーネントのスタンバイ装置は、ユーザがウェイクアップ信号を生成したかを規則的又は定常的にチェックする。
【００２３】
本発明に係る両方のシステムは、たとえばホームシネマのような家電製品を有するオーディオ／ビデオインスタレーションで使用することができる。
【００２４】
好適な実施の形態では、本発明に係るシステムに接続することができる装置の筐体（ハウジング）には、ＵＳＢバスが設けられているか、又は、本装置は、ＵＳＢ標準に従ってコマンド及びオーディオストリームを受信又は送信するための手段を有している。本発明は、アナログの通常のケーブルに代わり唯一のケーブルがデジタル伝送で必要とされるという認識に基づいており、これにより、ケーブルコネクションシステムを簡略化し、少数のバスを装置の筺体に搭載することで低減されたコストを得る。
【００２５】
データ処理の分野で知られている標準は、伝送されたデータユニットのエンドが前もって既に知られているシステムに適合される。オーディオストリームは、未知のエンドを有するために異なって扱われる。
【００２６】
本発明のこれらの態様及び他の態様は、以下に記載される実施の形態を参照して明らかとされるであろう。
【発明を実施するための最良の形態】
【００２７】
セントラルコンポーネント１００は、ソケット１２０を電源ラインに接続されるスタンバイ電源１１０、たとえば赤外線ダイオード１４０を有するリモートコントロールレシーバ１３０、複数の出力Audio-OutＡＯ1，ＡＯ2，．．．ＡＯiにＵＳＢハブ１８０を介して接続される増幅器デバイス１５０、ホストとして適したセントラルコンポーネント１００をレンダリングするデバイス１６０、１以上の周辺ユニット２０１，２０２，２０３が接続されるAudio-In入力を表すタイプＡのＵＳＢポート１７０を有している。
【００２８】
図は、２以上のラウドスピーカＬ1，Ｌ2．．．ＬiがどのようにＵＳＢコネクション１８０を介してセントラルコンポーネント１００に接続されるかを例示している。ＵＳＢを分離するために必要とされるＨＵＢ１８０は、個別の装置であるか、セントラルコンポーネント１００又は１以上のラウドスピーカＬ1，Ｌ2．．．Ｌiに統合される場合がある。特に有利なやり方では、ＨＵＢは、従来のホームシネマシステムの前面、すなわち左のラウドスピーカ、右のラウドスピーカ、センタ又はウーファチャネルにおける１つに配置されており、更なるＨＵＢは、背面、すなわちリアラウドスピーカ又はウーファチャネルに配置されている。アクティブラウドスピーカのための電流供給は、利用可能な２．５Ｗが通常は十分ではないため、ＵＳＢを介して実現することはできない。システムの柔軟性を示すため、ヘッドフォン増幅器は、破線で示されている。しかし、ワイヤレスヘッドフォン用の送信機は、ＵＳＢに代替的に接続される場合があり、このケースでは、２．５Ｗがその供給のために十分である。
【００２９】
ＵＳＢ標準は、全てのＵＳＢコネクションがセントラルコンポーネント１００で同じ可能性を提供するために柔軟性ある使用の可能性を提供する。したがって、ユーザは、どのバスをどの装置に接続すべきかを決定する必要がもはやない。これは、セントラルコンポーネント１００は、ＵＳＢで固定されるプラグアンドプレイプロトコルを介して、どの装置をどのコネクションに到達させることができるかを判定することができるためである。
【００３０】
接続された装置２０１，２０２，２０３の数は、セントラルコンポーネント１００により提供される可能性に従って調整及び管理することができる。
【００３１】
１以上の周辺ユニット２０１，２０２，２０３は接続することができ、１以上のコンポーネントが使用されるとき、ハブ又は別の増幅器デバイスがＵＳＢポートで必要とされる。ＵＳＢケーブル３０１，３０２，３０３は、セントラルコンポーネント１００から関連する周辺装置２０１，２０２，２０３にウェイクアップ信号を送信するのと同様に、周辺コンポーネント２０１，２０２，２０３からセントラルコンポーネント１００に音楽のデジタル伝送のために使用される。周辺ユニット２０１，２０２，２０３からセントラルコンポーネント１００に制御信号を送出可能であり、たとえばプレイキーに関する情報は、周辺装置２０１，２０２，２０３で押され、セントラルコンポーネント１００のホスト装置１６０は、この周辺装置へのソース選択を自動的に設定する。周辺ユニット２０１，２０２，２０３は、タイプＢのＵＳＢポート２１０，２２０，２３０を有する。
【００３２】
セントラルコンポーネント１００は、ソース、すなわち周辺ユニット２０１，２０２，２０３の音響特性に従って、ラウドスピーカＬ1，Ｌ2，．．．Ｌiを制御する。たとえばサラウンドサウンドの可能性（確率）をソースが提供するとき、約５０ワットの電力をそれぞれが有する５つのラウドスピーカ及び約２５０ワットの電力を有する１つのバスリフレックスサブウーファが制御される。本発明の１実施の形態では、ホストとして適したセントラルコンポーネント１００をレンダリングするデバイス１６０は、サウンドカードを有している。
【００３３】
代替的に、周辺ユニットは、標準的なコネクションにより提供される電力よりも小さいか又は該電力に等しい動作電力をもつタイプａ）のユニット、標準的なコネクションにより供給される電力を超える電力をもつタイプｂ）である場合がある。
【００３４】
この実施の形態では、周辺ユニット２０１は、タイプａ）のユニットであり、ＵＳＢ規格のコネクションを介して動作電力が供給される。公知のＵＳＢ規格のコネクションを介して提供される動作電力は、最大＋５Ｖで現在約２．５Ｗである。この実施の形態では、周辺ユニット２０２及び２０３は、タイプｂ）の装置であり、それぞれは電力供給のために電源ラインにソケット２４０，２５０を介して接続されている。
【００３５】
スタンバイモードでは、周辺ユニット２０２，２０３は、電源ラインから分離されており、これはスイッチ２０４及びスイッチ２０５により例示されている。改善されたエネルギー消費量をもつ本発明に係るシステムでは、ＵＳＢ規格のコネクションの双方向特性が利用され、このユニットがスタンバイモードから再作動されたとき、ホストセントラルコンポーネント１００から対応する周辺ユニット２０２，２０３にウェイクアップ信号を送出する。ユーザは、たとえばリモートコントロールによりウェイクアップ信号を生成する。好適な実施の形態では、システムに接続される全てのコンポーネントについて同一のリモートコントロールレシーバ１３０が使用される。周辺ユニットの接続の後、セントラルコンポーネント１００のリモートコントロールレシーバ１３０は、したがって、この接続された周辺ユニットについて有効なコードを学習する必要がある。ウェイクアップ信号は、電源ラインスイッチ２０４又は２０５を介して電源ラインに接続されるやり方で周辺ユニット２０２，２０３において処理される。
【００３６】
オーディオインスタレーション（機器）により音楽が再生されるとき、オーディオ増幅器は、ラウドスピーカを制御するので、如何なるやり方で電源ラインに接続される。
【００３７】
本発明によれば、このセントラルコンポーネント１００のスタンバイ電源１１０は、ウェイクアッププロセスを実行するとき、エネルギー供給のために使用される。また、タイプｂ）の周辺ユニットの動作電力がＵＳＢコネクションにより供給される電力を超えるとき、たとえば電源ラインのスイッチ２０４，２０５として使用されるリレーを制御するのに十分である場合がある。
【００３８】
セントラルコンポーネント１００には、システムの複数のコンポーネントについて使用される個々のリモートコントロールレシーバ１２０に割り当てられる。
【００３９】
図２は、ソケット２４０，２５０を介して電源ラインにそれぞれ接続される、相互接続されるコンポーネント２０２，２０３を有する、本発明に係るシステムを概念的に示している。周辺ユニット２０２，２０３は、アナログ又はデジタルライン５０１，５０２を介してセントラルコンポーネント１００に接続される。周辺ユニット２０２，２０３は、電源ラインのスイッチ２０４，２０５を介して電源ラインからそれぞれ分離することができる。それぞれのスイッチ２０４，２０５は、セントラルコンポーネント１００により制御することができ、破線４０１及び４０２のそれぞれで示されるセントラルコンポーネント１００により制御することができる。それは、個別の制御線であるか、又は、たとえばそれがＵＳＢコネクションであるときにコネクション５０１、５０２が使用される場合がある。対応する周辺装置２０２，２０３がスタンバイモードから再作動されるとき、電源ラインのスイッチ２０４，２０５は閉じる。ユーザは、たとえばリモートコントロールを作動するか、又はソース選択のためのフィールド４００から対応するソースを選択することで、再作動信号を生成する。セントラルコンポーネント１００は、ソケット１２０を介して電源ラインからウェイクアップ信号を生成するためのエネルギーを得る。代替的に、アキュムレータ又はバッテリは、エネルギー供給を保証する場合がある。
【００４０】
本発明に係るシステムは、個々のコンポーネント１００，２０１，２０２，２０３のコネクションが簡略化され、全体のインスタレーションが改善されたケーブリングを有するという利点を有する。
【００４１】
従来のＵＳＢケーブル３０１，３０２，３０３は、本発明に係るシステムを構築するために使用することができる。セントラルコンポーネント１００１は、ダウンストリームのためにタイプＡのバスを有している。対応するやり方では、周辺装置は、アップストリームのために、タイプＢのバス２１０，２２０，２３０が設けられる。
【００４２】
要するに、本発明は、相互接続されるコンポーネントからなるシステムに関するものであって、あるコンポーネントはセントラルコンポーネント１００として使用され、少なくとも１つの更なるコンポーネントは周辺ユニット２０１，２０２，２０３として使用される。当該システムは、コンポーネントが標準的なコネクション（ＵＳＢコネクション）を介して接続されること、ウェイクアップ信号と同様にスタンバイモードからの再作動について要求されるエネルギーがこの接続を介して得られること、又は周辺ユニット２０２，２０３の関連するソケット２４０，２５０がセントラルコンポーネント１００を再作動するように遠隔制御されること、が交互に達成される改善されたエネルギー消費量を有する。
【図面の簡単な説明】
【００４３】
【図１】信号処理及びエネルギー供給向けの本発明に係るシステムの概念図である。
【図２】ソケットを介して電源にそれぞれ接続されている、相互接続されたコンポーネントの本発明に係るシステムを概念的に示す図である。
【図１】
2007503657.tif 000003
【図２】
2007503657.tif 000004
【国際調査報告】
2007503657.tif 000005
2007503657.tif 000006
2007503657.tif 000007